(57)【要約】【課題】プロトコル処理の複雑さを軽減し、通信品質を向上させ、効率的に通信を行うことができる端末装置、方法、および集積回路に関する技術を提供すること。【解決手段】基地局装置と通信する端末装置の方法であって、上位レイヤからの遅延バジェット調整要求を受け取る事に基づいて、遅延バジェットの調整値を、遅延バジェット報告情報要素に含めて遅延バジェット報告情報要素を生成し、遅延バジェット報告情報要素を含むＲＲＣメッセージを基地局装置に送信後、前記端末装置の遅延バジェットが、前記遅延バジェットの調整値に従って調整された事を検出した事に基づいて、上位レイヤに遅延バジェット調整が行われた事及び調整された値の内のいずれかまたは全てに関する情報を通知する。【選択図】図７
2020136734.tif 000002
【特許請求の範囲】
【請求項１】
基地局装置と通信する端末装置であって、
前記基地局装置からＲＲＣメッセージを受信する受信部と、
前記ＲＲＣメッセージに、遅延バジェット報告送信の設定を行う事を指示する情報要素が含まれている事に基づいて、遅延バジェット報告送信の設定を行い、
上位レイヤからの遅延バジェット調整要求を受け取る事に基づいて、前記上位レイヤからの遅延バジェット調整要求に従った遅延バジェットの調整値を、遅延バジェット報告情報要素に含める処理部と、
前記遅延バジェット報告情報要素を含むＲＲＣメッセージを前記基地局装置に送信する送信部と、を有し、
前記処理部は、前記送信部が前記遅延バジェット報告情報要素を含むＲＲＣメッセージを前記基地局装置に送信後、前記端末装置の遅延バジェットが、前記遅延バジェットの調整値に従って調整された事を検出した事に基づいて、上位レイヤに遅延バジェット調整が行われた事及び調整された値の内のいずれかまたは全てに関する情報を通知する、
端末装置。
【請求項２】
前記遅延バジェットとは、接続モードＤＲＸサイクル長である、
請求項１に記載の端末装置。
【請求項３】
前記遅延バジェットとは、カバレッジエンハンスメント設定である、
請求項１に記載の端末装置。
【請求項４】
基地局装置と通信する端末装置の方法であって、
前記基地局装置からＲＲＣメッセージを受信し、
前記ＲＲＣメッセージに、遅延バジェット報告送信の設定を行う事を指示する情報要素が含まれている事に基づいて、遅延バジェット報告送信の設定を行い、
上位レイヤからの遅延バジェット調整要求を受け取る事に基づいて、前記上位レイヤからの遅延バジェット調整要求に従った遅延バジェットの調整値を、遅延バジェット報告情報要素に含める処理を行い、
前記遅延バジェット報告情報要素を含むＲＲＣメッセージを前記基地局装置に送信し、
前記遅延バジェット報告情報要素を含むＲＲＣメッセージを前記基地局装置に送信後、前記端末装置の遅延バジェットが、前記遅延バジェットの調整値に従って調整された事を検出した事に基づいて、上位レイヤに遅延バジェット調整が行われた事及び調整された値の内のいずれかまたは全てに関する情報を通知する、
方法。
【請求項５】
前記遅延バジェットとは、接続モードＤＲＸサイクル長である、
請求項４に記載の方法。
【請求項６】
前記遅延バジェットとは、カバレッジエンハンスメント設定である、
請求項４に記載の方法。
【発明の詳細な説明】
【技術分野】
【０００１】
本発明は、端末装置、方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：Ｅ−ＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【０００４】
また、３ＧＰＰにおいて、３ＧＰＰの無線ネットワーク及びコア網を用いてサービス提供する、音声、映像等のメディアの処理の標準化が行われている。３ＧＰＰで提供されるサービスは、３ＧＰＰの呼制御網であるＩＭＳ（ＩＰ  Ｍｕｌｔｉｍｅｄｉａ  Ｓｕｂｓｙｓｔｅｍ）網を用いて行われる（非特許文献１７）。
【先行技術文献】
【非特許文献】
【０００５】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１  ｖ１５．３．０,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  ｖ１５．３．０，“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３４０ｖ  １５．３．０,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００ｖ  １５．３．０,“ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１  ｖ１５．３．０,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３  ｖ１５．３．０,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２  ｖ１５．３．０,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１  ｖ１５．３．０,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１５．０．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２  ｖ１５．３．０,“Ｐｒｏｃｅｄｕｒｅ  ｆｏｒ  ５Ｇ  Ｓｙｓｔｅｍ；  Ｓｔａｇｅ  ２”
【非特許文献１６】３ＧＰＰ  ＴＳ  ３７．３２４  ｖ１５．１．０,“ＮＲ；Ｓｅｒｖｉｃｅ  Ｄａｔａ  Ａｄａｐｔａｔｉｏｎ  Ｐｒｏｔｏｃｏｌ  （ＳＤＡＰ）  ｓｐｅｃｉｆｉｃａｔｉｏｎ”
【非特許文献１７】３ＧＰＰ  ＴＳ  ２６．１１４  ｖ１５.４．０,  “ＩＰ  Ｍｕｌｔｉｍｅｄｉａ  Ｓｕｂｓｙｓｔｅｍ  （ＩＭＳ）；  Ｍｕｌｔｉｍｅｄｉａ  ｔｅｌｅｐｈｏｎｙ；  Ｍｅｄｉａ  ｈａｎｄｌｉｎｇ  ａｎｄ  ｉｎｔｅｒａｃｔｉｏｎ”
【非特許文献１８】３ＧＰＰ  Ｓ４−１８１４３３,  “ＬＳ  ｏｎ  Ｅ２Ｅ＿ＤＥＬＡＹ”
【発明の概要】
【発明が解決しようとする課題】
【０００６】
メディアサービスを享受するユーザが体感するサービス品質は、一般的にデータロス率や遅延等に依存する。このため３ＧＰＰのＲｅｌ−１４において、Ｅ−ＵＴＲＡ向けに、遅延バジェット報告技術が標準化された（非特許文献４）。遅延バジェット報告技術とは、通信中の端末装置の無線品質が良い場合に、端末装置が基地局装置に遅延バジェット報告を送り、接続（ｃｏｎｎｅｃｔｅｄ）モード間欠受信（ＤＲＸ：ｄｉｓｃｏｎｔｉｎｕｏｕｓ  ｒｅｃｅｐｔｉｏｎ）サイクルを短縮する事を要求し、基地局装置が要求に従って端末装置のＤＲＸサイクルを短縮する設定をする事によりデータ送受信遅延を短くし、逆に通信中の端末装置の無線品質が悪い場合に、端末装置が基地局装置に別のタイプの遅延バジェット報告を送り、基地局装置が要求に従って端末装置のカバレッジエンハンスメントに関する設定を行う事により、データ送受信遅延は長くなるものの、データロス率を下げるという技術である。
【０００７】
遅延バジェット報告技術は、データ送信側端末装置とデータ受信側端末装置とが相互に遅延バジェットを調整する事で、サービスを享受するユーザの体感品質向上が期待できる。しかしながら、Ｒｅｌ−１４で標準化が行われた遅延バジェット報告技術は、端末装置と基地局装置の間でのみ用いられる技術であるため、データ送信側端末装置とデータ受信側端末装置とが相互に遅延バジェットを調整する事ができないという課題があった。
【０００８】
非特許文献１８では、ＲＴＣＰ（Ｒｅａｌ−ｔｉｍｅ  Ｔｒａｎｓｐｏｒｔ  Ｃｏｎｔｒｏｌ  Ｐｒｏｔｏｃｏｌ）を用いて、アプリケーション層で通信相手の端末装置にデータ送信側端末装置の遅延バジェットを通知する方法が検討、開示されている。しかしながら、下位層であるＥ−ＵＴＲＡでの遅延バジェット報告技術による遅延バジェットの調整を、どのようにアプリケーション層が知りうるかについては開示されていない。
【０００９】
本発明の一態様は、上記した事情に鑑みてなされたもので、プロトコル処理の複雑さを軽減し、通信品質を向上させ、効率的に通信を行うことができる端末装置、該端末装置に用いられる方法、該端末装置に実装される集積回路を提供することを目的の一つとする。
【課題を解決するための手段】
【００１０】
上記の目的を達成するために、本発明の一態様は、以下のような手段を講じた。すなわち基地局装置と通信する端末装置であって、前記基地局装置からＲＲＣメッセージを受信する受信部と、前記ＲＲＣメッセージに、遅延バジェット報告送信の設定を行う事を指示する情報要素が含まれている事に基づいて、遅延バジェット報告送信の設定を行い、上位レイヤからの遅延バジェット調整要求を受け取る事に基づいて、前記上位レイヤからの遅延バジェット調整要求に従った遅延バジェットの調整値を、遅延バジェット報告情報要素に含める処理部と、前記遅延バジェット報告情報要素を含むＲＲＣメッセージを前記基地局装置に送信する送信部と、を有し、前記処理部は、前記送信部が前記遅延バジェット報告情報要素を含むＲＲＣメッセージを前記基地局装置に送信後、前記端末装置の遅延バジェットが、前記遅延バジェットの調整値に従って調整された事を検出した事に基づいて、上位レイヤに遅延バジェット調整が行われた事及び調整された値の内のいずれかまたは全てに関する情報を通知する。
【００１１】
また本発明の一態様は、基地局装置と通信する端末装置の方法であって、前記基地局装置からＲＲＣメッセージを受信し、前記ＲＲＣメッセージに、遅延バジェット報告送信の設定を行う事を指示する情報要素が含まれている事に基づいて、遅延バジェット報告送信の設定を行い、上位レイヤからの遅延バジェット調整要求を受け取る事に基づいて、前記上位レイヤからの遅延バジェット調整要求に従った遅延バジェットの調整値を、遅延バジェット報告情報要素に含める処理を行い、前記遅延バジェット報告情報要素を含むＲＲＣメッセージを前記基地局装置に送信し、前記遅延バジェット報告情報要素を含むＲＲＣメッセージを前記基地局装置に送信後、前記端末装置の遅延バジェットが、前記遅延バジェットの調整値に従って調整された事を検出した事に基づいて、上位レイヤに遅延バジェット調整が行われた事及び調整された値の内のいずれかまたは全てに関する情報を通知する。
【００１２】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１３】
本発明の一態様によれば、端末装置は、プロトコル処理の複雑さを軽減し、通信品質を向上させ、効率的に通信を行うことができる。
【図面の簡単な説明】
【００１４】
【図１】本発明の実施の形態に係る通信システムの概略図。
【図２】本発明の実施の形態における、Ｅ−ＵＴＲＡにおける端末装置と基地局装置のＵＰ及びＣＰのプロトコルスタック図。
【図３】本発明の実施の形態における、ＮＲにおける端末装置と基地局装置のＵＰ及びＣＰのプロトコルスタック図。
【図４】本発明の各実施の形態における端末装置と基地局装置との間で送受信されるＲＲＣメッセージの一例。
【図５】本発明の各実施の形態における端末装置の構成を示すブロック図。
【図６】本発明の各実施の形態における基地局装置の構成を示すブロック図。
【図７】本発明の実施の形態における端末装置及び基地局装置の処理方法の一例。
【発明を実施するための形態】
【００１５】
以下、本発明の実施の形態について、図面を参照して詳細に説明する。
【００１６】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＭｕｌｔｉ  Ｒａｄｉｏ  Ｄｕａｌ  ｃｏｎｎｅｃｔｉｖｉｔｙで接続可能なＬＴＥは、従来のＬＴＥと区別されてもよい。また、コアネットワークが５ＧＣであるＬＴＥは、コアネットワークがＥＰＣである従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。また本実施形態でのＥ−ＵＴＲＡという用語は、ＬＴＥという用語に置き換えられても良いし、ＬＴＥという用語はＥ−ＵＴＲＡという用語に置き換えられても良い。
【００１７】
図１は本発明の各実施の形態に係る通信システムの概略図である。
【００１８】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ（Ｅ−ＵＴＲＡＮ  Ｎｏｄｅ  Ｂ）１０２は、Ｅ−ＵＴＲＡ１００の基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ１００用のコア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、そのユーザデータが通るユーザプレーン（Ｕｓｅｒ  Ｐｌａｎｅ：ＵＰ）が存在する。
【００１９】
ＮＲ１０６は非特許文献９等に記載の無線アクセス技術であり、１つ又は複数の周波数帯域で構成するセルグループ（Ｃｅｌｌ  Ｇｒｏｕｐ：ＣＧ）から成る。ｇＮＢ（ｇ  Ｎｏｄｅ  Ｂ）１０８は、ＮＲ１０６の基地局装置である。５ＧＣ１１０は、非特許文献２等に記載のコア網であり、ＮＲ１０６用のコア網として設計されているが、５ＧＣ１１０に接続する機能をもつＥ−ＵＴＲＡ１００用のコア網として使われても良い。以下Ｅ−ＵＴＲＡ１００とは５ＧＣ１１０に接続する機能をもつＥ−ＵＴＲＡ１００を含んでも良い。
【００２０】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、及びインタフェース１２４等はＣＰのみ、又はＵＰのみ、又はＣＰ及びＵＰ両方を通すインタフェースであっても良い。また、インタフェース１１４、インタフェース１１６、インタフェース１１８、インタフェース１２０、及びインタフェース１２４等は、通信事業者が提供する通信システムに応じて存在しない場合もあっても良い。
【００２１】
ＵＥ１２２はＥ−ＵＴＲＡ１００及びＮＲ１０６の内のいずれかまたは全てに対応した端末装置である。非特許文献３、及び非特許文献９の内のいずれかまたは全てに記載の通り、ＵＥ１２２が、Ｅ−ＵＴＲＡ１００及びＮＲ１０６の内のいずれかまたは全てを介してコア網と接続する際、ＵＥ１２２と、Ｅ−ＵＴＲＡ１００及びＮＲ１０６の内のいずれかまたは全てとの間に、無線ベアラ（ＲＢ：Ｒａｄｉｏ  Ｂｅａｒｅｒ）と呼ばれる論理経路が確立される。ＣＰに用いられる無線ベアラは、シグナリング無線ベアラ（ＳＲＢ：Ｓｉｇｎａｌｉｎｇ  Ｒａｄｉｏ  Ｂｅａｒｅｒ）と呼ばれ、ＵＰに用いられる無線ベアラは、データ無線ベアラ（ＤＲＢ  Ｄａｔａ  Ｒａｄｉｏ  Ｂｅａｒｅｒ）と呼ばれる。各ＲＢは、ＲＢ識別子（ＲＢ  Ｉｄｅｎｔｉｔｙ，又はＲＢ  ＩＤ）が割り当てられ、一意に識別される。ＳＲＢ用ＲＢ識別子は、ＳＲＢ識別子（ＳＲＢ  Ｉｄｅｎｔｉｔｙ，又はＳＲＢ  ＩＤ）と呼ばれ、ＤＲＢ用ＲＢ識別子は、ＤＲＢ識別子（ＤＲＢ  Ｉｄｅｎｔｉｔｙ，又はＤＲＢ  ＩＤ）と呼ばれる。
【００２２】
非特許文献３に記載の通り、ＵＥ１２２の接続先コア網がＥＰＣ１０４である場合、ＵＥ１２２と、Ｅ−ＵＴＲＡ１００及びはＮＲ１０６の内のいずれかまたは全てとの間に確立された各ＤＲＢは更に、ＥＰＣ１０４内を経由する各ＥＰＳ（Ｅｖｏｌｖｅｄ  Ｐａｃｋｅｔ  Ｓｙｓｔｅｍ）ベアラと一意に紐づけられる。各ＥＰＳベアラは、ＥＰＳベアラ識別子（Ｉｄｅｎｔｉｔｙ，又はＩＤ）が割り当てられ、一意に識別される。また同一のＥＰＳベアラを通るデータは同一のＱｏＳが保証される。
【００２３】
非特許文献９に記載の通り、ＵＥ１２２の接続先コア網が５ＧＣ１１０である場合、ＵＥ１２２と、Ｅ−ＵＴＲＡ１００及びＮＲ１０６の内のいずれかまたは全てとの間に確立された一つ又は複数のＤＲＢは更に、５ＧＣ１１０内に確立されるＰＤＵ（Ｐａｃｋｅｔ
Ｄａｔａ  Ｕｎｉｔ）セッションの一つに紐づけられる。各ＰＤＵセッションには、一つ又は複数のＱｏＳフローが存在する。各ＤＲＢは、紐づけられているＰＤＵセッション内に存在する、一つ又は複数のＱｏＳフローと対応付け（ｍａｐ）されても良いし、どのＱｏＳフローと対応づけられなくても良い。各ＰＤＵセッションは、ＰＤＵセッション識別子（Ｉｄｅｎｔｉｔｙ，又はＩＤ）で識別される。また各ＱｏＳフローは、ＱｏＳフロー識別子で識別される。また同一のＱｏＳフローを通るデータは同一のＱｏＳが保証される。
【００２４】
ＥＰＣ１０４には、ＰＤＵセッション及びＱｏＳフローの内のいずれかまたは全ては存在せず、５ＧＣ１１０にはＥＰＳベアラは存在しない。言い換えると、ＵＥ１２２がＥＰＣ１０４と接続している際、ＵＥ１２２はＥＰＳベアラの情報を持ち、ＵＥ１２２が５ＧＣ１１０と接続している際、ＵＥ１２２はＰＤＵセッション及びＱｏＳフローの内のいずれかまたは全ての情報を持つ。
【００２５】
図２は本発明の各実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００２６】
図２（Ａ）はＥ−ＵＴＲＡ１００においてＵＥ１２２がｅＮＢ１０２と通信を行う際に用いるＵＰのプロトコルスタック図である。
【００２７】
ＰＨＹ（Ｐｈｙｓｉｃａｌ  ｌａｙｅｒ）２００は、無線物理層（無線物理レイヤ）であり、物理チャネル（Ｐｈｙｓｉｃａｌ  Ｃｈａｎｎｅｌ）を利用して上位層（上位レイヤ）に伝送サービスを提供する。ＰＨＹ２００は、後述する上位のＭＡＣ（Ｍｅｄｉｕｍ
Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００２８】
ＭＡＣ２０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００２９】
ＲＬＣ２０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層（下位レイヤ）が適切にデ−タ送信できるようにデ−タサイズを調節する無線リンク制御層（無線リンク制御レイヤ）である。また、ＲＬＣ２００は、各デ−タが要求するＱｏＳ（Ｑｕａｌｉｔｙ  ｏｆ  Ｓｅｒｖｉｃｅ）を保証するための機能も持つ。すなわち、ＲＬＣ２０４は、デ−タの再送制御等の機能を持つ（非特許文献６）。
【００３０】
ＰＤＣＰ２０６は、ユーザデータであるＩＰパケット（ＩＰ  Ｐａｃｋｅｔ）を無線区間で効率的に伝送するためのパケットデータ収束プロトコル層（パケットデータ収束プロトコルレイヤ）である。ＰＤＣＰ２０６は、不要な制御情報の圧縮を行うヘッダ圧縮機能を持ってもよい。また、ＰＤＣＰ２０６は、デ−タの暗号化の機能も持ってもよい（非特許文献５）。
【００３１】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００３２】
図２（Ｂ）はＥ−ＵＴＲＡ１００において、ＵＥ１２２がｅＮＢ１０２、および認証やモビリティマネージメントなどの機能を提供する論理ノードであるＭＭＥ（Ｍｏｂｉｌｉｔｙ  Ｍａｎａｇｅｍｅｎｔ  Ｅｎｔｉｔｙ）と通信を行う際に用いるＣＰのプロトコルスタック図である。
【００３３】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８、およびＮＡＳ（ｎｏｎ  Ａｃｃｅｓｓ  Ｓｔｒａｒｕｍ）２１０が存在する。ＲＲＣ２０８は、ＲＲＣ接続の確立、再確立、一時停止（ｓｕｓｐｅｎｄ）、一時停止解除（ｒｅｓｕｍｅ）等の処理や、ＲＲＣ接続の再設定、例えば無線ベアラ（Ｒａｄｉｏ  Ｂｅａｒｅｒ：ＲＢ）及びセルグループ（Ｃｅｌｌ  Ｇｒｏｕｐ）の確立、変更、解放等の設定を行い、論理チャネル、トランスポートチャネル及び物理チャネルの制御などを行う他、ハンドオーバ及び測定（Ｍｅａｓｕｒｅｍｅｎｔ：メジャメント）の設定などを行う、無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい。またＲＢのうちＲＬＣ２０４とＭＡＣ２０２で構成される部分をＲＬＣベアラと呼んでも良い（非特許文献４）。また、ＭＭＥとＵＥ１２２との間の信号を運ぶＮＡＳレイヤに対して、ＵＥ１２２とｅＮＢ１０２との間の信号及びデータを運ぶＰＨＹ２００、ＭＡＣ２０２、ＲＬＣ２０４、ＰＤＣＰ２０６、ＲＲＣ２０８の一部のレイヤあるいはすべてのレイヤをＡＳ（Ａｃｃｅｓｓ  Ｓｔｒａｒｕｍ）レイヤと称してよい。
【００３４】
前述のＭＡＣ２０２、ＲＬＣ２０４、ＰＤＣＰ２０６、及びＲＲＣ２０８の機能分類は一例であり、各機能の一部あるいは全部が実装されなくてもよい。また、各層の機能の一部あるいは全部が他の層に含まれてもよい。
【００３５】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＰＤＣＰレイヤの上位レイヤとなる（不図示）。またＲＲＣレイヤやＮＡＳ（ｎｏｎ  Ａｃｃｅｓｓ  Ｓｔｒａｒｕｍ）レイヤもＰＤＣＰレイヤの上位レイヤとなる（不図示）。言い換えれば、ＰＤＣＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００３６】
図３は本発明の各実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００３７】
図３（Ａ）はＮＲ１０６においてＵＥ１２２がｇＮＢ１０８と通信を行う際に用いるＵＰのプロトコルスタック図である。
【００３８】
ＰＨＹ（Ｐｈｙｓｉｃａｌ  ｌａｙｅｒ）３００は、ＮＲの無線物理層（無線物理レイヤ）であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。
【００３９】
ＭＡＣ３０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。
【００４０】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節する無線リンク制御層（無線リンク制御レイヤ）である。また、ＲＬＣ３０４は、各デ−タが要求するＱｏＳ（Ｑｕａｌｉｔｙ  ｏｆ  Ｓｅｒｖｉｃｅ）を保証するための機能も持っても良い。すなわち、ＲＬＣ３０４は、デ−タの再送制御等の機能を持っても良い（非特許文献１２）。
【００４１】
ＰＤＣＰ３０６は、ユーザデータであるＩＰパケット（ＩＰ  Ｐａｃｋｅｔ）を無線区間で効率的に伝送するパケットデータ収束プロトコル層（パケットデータ収束プロトコル層）である。ＰＤＣＰ３０６、不要な制御情報の圧縮を行うヘッダ圧縮機能を持ってもよい。また、ＰＤＣＰ３０６は、デ−タの暗号化の機能も持ってもよい（非特許文献１１）。
【００４２】
ＳＤＡＰ（Ｓｅｒｖｉｃｅ  Ｄａｔａ  Ａｄａｐｔａｔｉｏｎ  Ｐｒｏｔｏｃｏｌ）３１０は、５ＧＣ１１０から基地局装置を介して端末装置に送られるダウンリンクのＱｏＳフローとＤＲＢとの対応付け（マッピング：ｍａｐｐｉｎｇ）、及び端末装置から基地局装置を介して５ＧＣ１１０に送られるアップリンクのＱｏＳフローと、ＤＲＢとのマッピングを行い、マッピングルール情報を格納する機能を持もつ、サービスデータ適応プロトコル層（サービスデータ適応プロトコルレイヤ）である（非特許文献１６）。
【００４３】
図３（Ｂ）はＮＲ１０６において、ＵＥ１２２がｇＮＢ１０８、および認証やモビリティマネージメントなどの機能を提供する論理ノードであるＡＭＦ（Ａｃｃｅｓｓ  ａｎｄ  Ｍｏｂｉｌｉｔｙ  Ｍａｎａｇｅｍｅｎｔ  ｆｕｎｃｔｉｏｎ）と通信を行う際に用いるＣＰのプロトコルスタック図である。
【００４４】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８、およびＮＡＳ（ｎｏｎ  Ａｃｃｅｓｓ  Ｓｔｒａｒｕｍ）３１０が存在する。ＲＲＣ３０８は、ＲＲＣ接続の確立、再確立、一時停止（ｓｕｓｐｅｎｄ）、一時停止解除（ｒｅｓｕｍｅ）等の処理や、ＲＲＣ接続の再設定、例えば無線ベアラ（Ｒａｄｉｏ  Ｂｅａｒｅｒ：ＲＢ）及びセルグループ（Ｃｅｌｌ  Ｇｒｏｕｐ）の確立、変更、解放等の設定を行い、論理チャネル、トランスポートチャネル及び物理チャネルの制御などを行う他、ハンドオーバ及び測定（Ｍｅａｓｕｒｅｍｅｎｔ：メジャメント）の設定などを行う、無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい。またＲＢのうちＲＬＣ３０４とＭＡＣ３０２で構成される部分をＲＬＣベアラと呼んでも良い（非特許文献１０）。また、ＡＭＦとＵＥ１２２との間の信号を運ぶＮＡＳレイヤに対して、ＵＥ１２２とｇＮＢ１０８との間の信号及びデータを運ぶＰＨＹ３００、ＭＡＣ３０２、ＲＬＣ３０４、ＰＤＣＰ３０６、ＲＲＣ３０８、ＳＤＡＰ３１０の一部のレイヤあるいはすべてのレイヤをＡＳ（Ａｃｃｅｓｓ  Ｓｔｒａｒｕｍ）レイヤと称してよい。
【００４５】
前述のＭＡＣ３０２、ＲＬＣ３０４、ＰＤＣＰ３０６、ＳＤＡＰ３１０、及びＲＲＣ３
０８の機能分類は一例であり、各機能の一部あるいは全部が実装されなくてもよい。また、各層（各レイヤ）の機能の一部あるいは全部が他の層（レイヤ）に含まれてもよい。
【００４６】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＳＤＡＰレイヤ及びＰＤＣＰレイヤの内のいずれかまたは全ての上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤ及びＰＤＣＰレイヤの内のいずれかまたは全ての上位レイヤとなっても良い（不図示）。言い換えれば、ＳＤＡＰレイヤ及びＰＤＣＰレイヤの内のいずれかまたは全てはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、及びアプリケーションレイヤの内のいずれかまたは全ての下位レイヤとなる。
【００４７】
なお、本発明の各実施の形態において、ＩＭＳで用いられるＳＩＰ（Ｓｅｓｓｉｏｎ  Ｉｎｉｔｉａｔｉｏｎ  Ｐｒｏｔｏｃｏｌ）やＳＤＰ（Ｓｅｓｓｉｏｎ  Ｄｅｓｃｒｉｐｔｉｏｎ  Ｐｒｏｔｏｃｏｌ）等、またメディア通信又はメディア通信制御に用いられるＲＴＰ（Ｒｅａｌ−ｔｉｍｅ  Ｔｒａｎｓｐｏｒｔ  Ｐｒｏｔｏｃｏｌ）、ＲＴＣＰ（Ｒｅａｌ−ｔｉｍｅ  Ｔｒａｎｓｐｏｒｔ  Ｃｏｎｔｒｏｌ  Ｐｒｏｔｏｃｏｌ）、ＨＴＴＰ（ＨｙｐｅｒＴｅｘｔ  Ｔｒａｎｓｆｅｒ  Ｐｒｏｔｏｃｏｌ）等、及び各種メディアのコーデック等の内のいずれかまたは全ては、アプリケーションレイヤに所属するものとする。
【００４８】
なお、端末装置、及び基地局装置の内のいずれかまたは全てに設定されるＡＳレイヤに属する各層、又は各層の機能の事を、エンティティと呼んでも良い。即ち、端末装置、及び基地局装置の内のいずれかまたは全てに設定される、ＭＡＣ層、ＲＬＣ層、ＰＤＣＰ層、ＳＤＡＰ層、及びＲＲＣ層の事、又は各層の機能の事を、ＭＡＣエンティティ、ＲＬＣエンティティ、ＰＤＣＰエンティティ、ＳＤＡＰエンティティ、及びＲＲＣエンティティと、それぞれ呼んでも良い。
【００４９】
なお、本発明の各実施の形態では、以下Ｅ−ＵＴＲＡのプロトコルとＮＲのプロトコルを区別するため、ＭＡＣ２０２、ＲＬＣ２０４、ＰＤＣＰ２０６、及びＲＲＣ２０８を、それぞれＥ−ＵＴＲＡ用ＭＡＣ又はＬＴＥ用ＭＡＣ、Ｅ−ＵＴＲＡ用ＲＬＣ又はＬＴＥ用ＲＬＣ、Ｅ−ＵＴＲＡ用ＰＤＣＰ又はＬＴＥ用ＰＤＣＰ、及びＥ−ＵＴＲＡ用ＲＲＣ又はＬＴＥ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。又は、Ｅ−ＵＴＲＡ  ＰＤＣＰ又はＬＴＥ  ＰＤＣＰ、ＮＲ  ＰＤＣＰなどとスペースを用いて記述する場合もある。
【００５０】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。また、Ｅ−ＵＴＲＡ１００において、ＵＥ１２２がｅＮＢ１０２と通信する場合であってもＰＤＣＰとしてＮＲ  ＰＤＣＰが使われても良い。
【００５１】
次にＬＴＥ及びＮＲにおけるＵＥ１２２の状態遷移について説明する。ＥＰＣに接続するＵＥ１２２は、ＲＲＣ接続が設立されている（ＲＲＣ  ｃｏｎｎｅｃｔｉｏｎ  ｈａｓ
ｂｅｅｎ  ｅｓｔａｂｌｉｓｈｅｄ）とき、ＲＲＣ＿ＣＯＮＮＥＣＴＥＤ状態であってよい。また、ＵＥ１２２は、ＲＲＣ接続が休止しているとき、（もしＵＥ１２２が５ＧＣに接続しているなら）ＲＲＣ＿ＩＮＡＣＴＩＶＥ状態であってよい。もし、それらのケースでないなら、ＵＥ１２２は、ＲＲＣ＿ＩＤＬＥ状態であってよい。
【００５２】
なお、ＥＰＣに接続するＵＥ１２２は、ＲＲＣ＿ＩＮＡＣＴＩＶＥ状態を持たないが、Ｅ−ＵＴＲＡＮによってＲＲＣ接続の休止が開始されてもよい。この場合、ＲＲＣ接続が休止されるとき、ＵＥ１２２はＵＥのＡＳコンテキストと復帰に用いる識別子（ｒｅｓｕｍｅＩｄｅｎｔｉｔｙ）を保持してＲＲＣ＿ＩＤＬＥ状態に遷移する。ＵＥ１２２がＵＥのＡＳコンテキストを保持しており、かつＥ−ＵＴＲＡＮによってＲＲＣ接続の復帰が許可（Ｐｅｒｍｉｔ）されており、かつＵＥ１２２がＲＲＣ＿ＩＤＬＥ状態からＲＲＣ＿ＣＯＮＮＥＣＴＥＤ状態に遷移する必要があるとき、休止されたＲＲＣ接続の復帰が上位レイヤ（例えばＮＡＳレイヤ）によって開始されてよい。
【００５３】
すなわち、ＥＰＣに接続するＵＥ１２２と、５ＧＣに接続するＵＥ１２２とで、休止の定義が異なってよい。また、ＵＥ１２２がＥＰＣに接続している場合（ＲＲＣ＿ＩＤＬＥ状態で休止している場合）と５ＧＣに接続している場合（ＲＲＣ＿ＩＮＡＣＴＩＶＥ状態で休止している場合）とで、休止から復帰する手順のすべてあるいは一部が異なってよい。
【００５４】
なお、ＲＲＣ＿ＣＯＮＮＥＣＴＥＤ状態、ＲＲＣ＿ＩＮＡＣＴＩＶＥ状態、ＲＲＣ＿ＩＤＬＥ状態の事をそれぞれ、接続状態（ｃｏｎｎｅｃｔｅｄ  ｍｏｄｅ）、非活性状態（ｉｎａｃｔｉｖｅ  ｍｏｄｅ）、休止状態（ｉｄｌｅ  ｍｏｄｅ）と呼んでも良い。
【００５５】
ＵＥ１２２が保持するＵＥのＡＳコンテキストは、現在のＲＲＣ設定、現在のセキュリティコンテキスト、ＲＯＨＣ（ＲＯｂｕｓｔ  Ｈｅａｄｅｒ  Ｃｏｍｐｒｅｓｓｉｏｎ）状態を含むＰＤＣＰ状態、接続元（Ｓｏｕｒｃｅ）のＰＣｅｌｌで使われていたＣ−ＲＮＴＩ、セル識別子（ｃｅｌｌＩｄｅｎｔｉｔｙ）、接続元のＰＣｅｌｌの物理セル識別子、のすべてあるいは一部を含む情報であってよい。なお、ｅＮＢ１０２およびｇＮＢ１０８の内のいずれかまたは全ての保持するＵＥのＡＳコンテキストは、ＵＥ１２２が保持するＵＥのＡＳコンテキストと同じ情報を含んでもよいし、ＵＥ１２２が保持するＵＥのＡＳコンテキストに含まれる情報とは異なる情報が含まれてもよい。
【００５６】
セキュリティコンテキストとは、ＡＳレベルにおける暗号鍵、ＮＨ（Ｎｅｘｔ  Ｈｏｐ
ｐａｒａｍｅｔｅｒ）、次ホップのアクセス鍵導出に用いられるＮＣＣ（Ｎｅｘｔ  Ｈｏｐ  Ｃｈａｉｎｉｎｇ  Ｃｏｕｎｔｅｒ  ｐａｒａｍｅｔｅｒ）、選択されたＡＳレベルの暗号化アルゴリズムの識別子、リプレイ保護のために用いられるカウンター、のすべてあるいは一部を含む情報であってよい。
【００５７】
（実施の形態１）
図１から図７を用いて、本発明の実施の形態を説明する。本発明の実施の形態において、端末装置が遅延バジェットの調整を基地局装置に要求するために、遅延バジェット報告情報要素を含むＲＲＣメッセージを基地局装置に送信後、要求した遅延バジェットに調整された事を検出する事に基づいて、上位レイヤに遅延バジェットが調整された事を通知する。
【００５８】
なお、本実施の形態における遅延バジェットとは、非特許文献４又は非特許文献１０に記載の接続（ｃｏｎｎｅｃｔｅｄ）モード間欠受信（ＤＲＸ：ｄｉｓｃｏｎｔｉｎｕｏｕ
ｓ  ｒｅｃｅｐｔｉｏｎ）サイクル（以下、接続モードを省略し、ＤＲＸサイクルと呼ぶ事もある）長の事であっても良いし、非特許文献４に記載のカバレッジエンハンスメント（ｃｏｖｅｒａｇｅ  ｅｎｈａｎｃｅｍｅｎｔ）又はカバレッジエンハンスメントで許容される遅延の長さの事であっても良い。また本発明の実施の形態において上位レイヤとは、アプリケーションレイヤの事であっても良い。なお、本実施の形態において、アプリケーションレイヤの事をＭＴＳＩ（Ｍｕｌｔｉｍｅｄｉａ  Ｔｅｌｅｐｈｏｎｙ  Ｓｅｒｖｉｃｅ  ｆｏｒ  ＩＭＳ）レイヤと呼んでも良い。また本発明の実施の形態において下位レイヤとはＡＳレイヤの事であっても良いし、ＲＲＣレイヤの事であっても良い。
【００５９】
また本発明の実施の形態が適応されるＲＡＴは、Ｅ−ＵＴＲＡであっても良いし、ＮＲであっても良い。また他のＲＡＴであっても良い。
【００６０】
図４は本発明の各実施の形態における端末装置と基地局装置との間で送受信されるＲＲＣメッセージの一例である。図４（Ａ）は基地局装置（ｅＮＢ１０２又はｇＮＢ１０８）から端末装置（ＵＥ１２２）に送られるＲＲＣメッセージ、図４（Ｂ）端末装置（ＵＥ１２２）から基地局装置（ｅＮＢ１０２又はｇＮＢ１０８）に送信されるＲＲＣメッセージの一例である。
【００６１】
Ｅ−ＵＴＲＡのＲＲＣメッセージは非特許文献４、ＮＲのＲＲＣメッセージは非特許文献１０に記載されている。基地局装置（ｅＮＢ１０２又はｇＮＢ１０８）から端末装置（ＵＥ１２２）に送られるＲＲＣメッセージとして、例えばＲＲＣコネクションを再設定手順を行うためのメッセージ（非特許文献４に記載のＲＲＣコネクション再設定（ＲＲＣ  Ｃｏｎｎｅｃｔｉｏｎ  Ｒｅｃｏｎｆｉｇｕｒａｔｉｏｎ）メッセージ、及び非特許文献１０に記載のＲＲＣ再設定（ＲＲＣ  Ｒｅｃｏｎｆｉｇｕｒａｔｉｏｎ）メッセージ）などが存在する。また端末装置（ＵＥ１２２）から基地局装置（ｅＮＢ１０２又はｇＮＢ１０８）に送られるＲＲＣメッセージとして、上述のＲＲＣコネクションを再設定手順での確認応答メッセージ（非特許文献４に記載のＲＲＣコネクション再設定確認メッセージ、及び非特許文献１０に記載のＲＲＣ再設定確認）などが存在する。また端末装置（ＵＥ１２２）から基地局装置（ｅＮＢ１０２又はｇＮＢ１０８）に送られるＲＲＣメッセージとして、端末装置のの各種情報を基地局装置に送信するための手段である、ＵＥアシスタンス情報（ＵＥ  Ａｓｓｉｓｔａｎｃｅ  Ｉｎｆｏｒｍａｔｉｏｎ）手段に使われる、ＵＥアシスタンス情報メッセージなどが存在する。
【００６２】
ＲＲＣコネクション再設定手順（ＲＲＣ  Ｃｏｎｎｅｃｔｉｏｎ  Ｒｅｃｏｎｆｉｇｕｒａｔｉｏｎ）は、非特許文献４に記載の、Ｅ−ＵＴＲＡにおける無線ベアラ（Ｒａｄｉｏ  Ｂｅａｒｅｒ：ＲＢ）の確立、変更、解放、及びセカンダリセルの変更、解放等の設定を行う他、ハンドオーバ及び測定（ｍｅａｓｕｒｅｍｅｎｔ）等の設定のために用いられる手順である。一方ＲＲＣ再設定手順（ＲＲＣ  Ｒｅｃｏｎｆｉｇｕｒａｔｉｏｎ）は、非特許文献１０に記載の、ＮＲにおけるＲＢの確立、変更、解放、及びセカンダリセルの変更、解放等の設定を行う他、ハンドオーバ（同期を伴う再設定）及び測定（Ｍｅｓｕｒｅｍｅｎｔ）等の設定のために用いられる手順である。
【００６３】
ＵＥアシスタンス情報手段は、端末装置と基地局装置間との無線インタフェース遅延、又は接続モードＤＲＸ長などの遅延バジェット（ｄｅｌａｙ  ｂｕｄｇｅｔ）の調整を基地局装置に要求する事に使われる他、端末装置の過熱情報等を基地局装置に報告するために用いられる。
【００６４】
なお、各ＲＲＣメッセージに含むパラメータの事を、情報要素（ＩＥ：  Ｉｎｆｏｒｍａｔｉｏｎ  Ｅｌｅｍｅｎｔ）、又はフィールドと呼ぶ。本発明の実施の形態においては、フィールドの事を情報要素と呼ぶ事もある。
【００６５】
図５は本発明の各実施の形態における端末装置（ＵＥ１２２）の構成を示すブロック図である。なお、説明が煩雑になることを避けるために、図５では、本発明と密接に関連する主な構成部のみを示す。
【００６６】
図５に示すＵＥ１２２は、ｅＮＢ１０２又はｇＮＢ１０８から送信されるＲＲＣメッセージ等の受信、及び通信相手先から送信されるアプリケーションレイヤシグナリング等の受信の内のいずれかまたは全てを行う受信部５００、受信したＲＲＣメッセージに含まれる各種情報要素（ＩＥ：Ｉｎｆｏｒｍａｔｉｏｎ  Ｅｌｅｍｅｎｔ）及びフィールド等の内のいずれかまたは全ての各種条件に従った設定、及びＲＲＣメッセージの作成等のＡＳレイヤに関する処理や、受信したアプリケーションレイヤシグナリング等に従った動作、及びアプリケーションレイヤシグナリングの作成等のアプリケーションレイヤに関する処理等の内のいずれかまたは全てを行う処理部５０２、ｅＮＢ１０２又はｇＮＢ１０８へのＲＲＣメッセージ等の送信及び、通信相手先へのアプリケーションレイヤシグナリング等の送信の内のいずれかまたは全てを行う送信部５０４から成る。また様々な条件に基づき各部の動作を制御する制御部を別途備えてもよい。
【００６７】
図６は本発明の各実施の形態における基地局装置（ｅＮＢ１０２又はｇＮＢ１０８）の構成を示すブロック図である。なお、説明が煩雑になることを避けるために、図６では、本発明と密接に関連する主な構成部のみを示す。
【００６８】
図６に示すｅＮＢ１０２又はｇＮＢ１０８は、ＵＥ１２２へＲＲＣメッセージ等を送信する送信部８００、及び各種情報要素（ＩＥ：Ｉｎｆｏｒｍａｔｉｏｎ  Ｅｌｅｍｅｎｔ）、及びフィールド等の内のいずれかまたは全てを含めたメッセージを作成し、ＵＥ１２２に送信する事により、ＵＥ１２２の処理部５０２に処理を行わせる処理部８０２、及びＵＥ１２２よりＲＲＣメッセージ等を受信する受信部８０４から成る。また様々な条件に基づき各部の動作を制御する制御部を別途備えてもよい。
【００６９】
図７を用いて本発明の実施の形態における端末装置及び基地局装置の処理方法の一例を説明する。図７ではＮＲにおける動作を想定し、基地局装置としてｇＮＢ１０８を用いて説明するが、Ｅ−ＵＴＲＡに対する動作であっても良く、この場合基地局装置はｅＮＢ１０２であっても良い。
【００７０】
ｇＮＢ１０８の処理部６０２は、ＵＥ１２２に遅延バジェット報告送信の設定を行う事を指示する情報要素を含むＲＲＣメッセージを作成し、送信部６０４よりＵＥ１２２に送信する。なお、上述の遅延バジェット報告送信の設定を行う事を指示する情報要素とは、遅延バジェット報告の送信を一定時間禁止させるためのタイマーの設定に関する情報要素であっても良い。また上述の遅延バジェット報告送信の設定を行う事を指示する情報要素を含むＲＲＣメッセージとは、ＲＲＣコネクション再設定メッセージであっても良く、ＲＲＣ再設定メッセージであっても良い。（ステップＳ７００）
【００７１】
ＵＥ１２２の受信部５００は、ｇＮＢ１０８から送信された、上述の遅延バジェット報告送信の設定を行う事を指示する情報要素を含むＲＲＣメッセージを受信し、ＵＥ１２２の処理部５０２は遅延バジェット報告設定を行う。（ステップＳ７０２）
【００７２】
ＵＥ１２２の処理部５０２は、一定の条件に基づいて、ｇＮＢ１０８へ遅延バジェットの調整を指示するための情報要素である、遅延バジェット報告情報要素を作成する。上述の一定の条件とは、（１）上述の遅延バジェット報告送信の設定を行う事を指示する情報要素を含むＲＲＣメッセージの受信後に、一度も遅延バジェット報告情報要素を含むＲＲＣメッセージをｇＮＢ１０８に送信していない場合、（２）現在の遅延バジェットが前回
ｇＮＢ１０８へ調整を指示した遅延バジェットとは異なる場合で、遅延バジェット報告の送信を一定時間禁止させるためのタイマーが作動していない場合、（３）上位レイヤから遅延バジェット調整要求を受け取った場合、の内のいずれかまたは全ての場合であっても良いし、これ以外の条件であっても良い。（３）の条件の場合、更に遅延バジェット報告の送信を一定時間禁止させるためのタイマーが作動していない事を条件に加えても良い。上述の遅延バジェット報告情報要素の作成において、ＵＥ１２２の処理部５０２は必要とされる遅延バジェットの調整値を遅延バジェット報告情報要素に含めても良い。上述の調整値は、現在ＵＥ１２２に設定されている遅延バジェットと、要求される遅延バジェットとの差分であっても良い。例えば遅延バジェットとしてＤＲＸサイクル長の調整を指示する場合には、現在設定されているＤＲＸサイクル長から調整に必要な差分を調整値としてミリセカンドで遅延バジェット報告情報要素に含めても良い。また例えば遅延バジェットとしてカバレッジエンハンスメント設定の調整を指示する場合には、現在設定されているＵＥ１２２とｇＮＢ１０８との間のインタフェース遅延と要求されるインターフェース遅延の差分を調整値としてミリセカンドで遅延バジェット値として遅延バジェット報告情報要素に含めても良い。上位レイヤから遅延バジェット調整要求を受け取った場合で、上述の調整要求に調整が要求される遅延バジェットに関する情報が入っていた場合には、上述の調整が要求される遅延バジェットに関する情報に従って、調整値を設定しても良い。（ステップＳ７０４）
【００７３】
次にＵＥ１２２の送信部５０４は、処理部５０２が作成した遅延バジェット報告情報要素含むＲＲＣメッセージを、ｇＮＢ１０８へ送信する。上述の遅延バジェット報告情報要素含むＲＲＣメッセージとは、ＵＥアシスタンス情報メッセージであっても良く、他のメッセージであっても良い。（ステップＳ７０６）
【００７４】
次にＵＥ１２２の処理部５０２は、ｇＮＢ１０８へ指示した遅延バジェットの調整値に従って、遅延バジェットが調整された事を検出する。上述の遅延バジェットが調整された事の検出とは、ステップＳ７０６でｇＮＢ１０８へ遅延バジェット報告情報要素含むＲＲＣメッセージを送信した後に、ｇＮＢ１０８から新しい遅延バジェット、例えばＤＲＸ長や、カバレッジエンハンスメント設定が含まれたＲＲＣメッセージを受信し、新しい遅延バジェットが要求した遅延バジェットの調整値、又は調整値に近い値に従っている事により、検出しても良いし、別の方法であっても良い。上述のＤＲＸ長や、カバレッジエンハンスメント設定が含まれたＲＲＣメッセージは、ＲＲＣコネクションの再設定手順のメッセージであっても良い。ＵＥ１２２の処理部５０２は、ｇＮＢ１０８へ指示した遅延バジェットの調整値に従って、遅延バジェットが調整された事を検出した事に基づいて、上位レイヤに遅延バジェットが調整された事、及び調整された遅延バジェットの値に関する情報の内のいずれかまたは全てを通知しても良い。なお、上述の「ｇＮＢ１０８へ指示した遅延バジェットの調整値に従って、遅延バジェットが調整された事を検出した」は、「ｇＮＢ１０８へ指示した遅延バジェットの調整値に従って、遅延バジェットが調整された事を検出した」を意味する表現であれば、他の表現であっても良い。例えば「遅延バジェットがうまく調整された」であっても良いし、「遅延バジェットが解決した」であっても良いし、「遅延バジェット報告が成功した」であっても良いし、他の表現であっても良い。（ステップＳ７０８）
【００７５】
なお、ステップ７０４で作成される遅延バジェット報告情報要素は、ＤＲＸサイクル長の調整値を含めるフィールドと、カバレッジエンハンスメント設定の調整値を含めるフィールドが別々に設定されても良い。例えばＤＲＸサイクル長の調整値を含めるフィールドはタイプ１、カバレッジエンハンスメント設定の調整値を含めるフィールドはタイプ２と言う名称であっても良い。また例えばＤＲＸサイクル長の調整値を含む遅延バジェット報告情報要素の事を、遅延バジェット報告タイプ１、カバレッジエンハンスメント設定の調整値を含む遅延バジェット報告情報要素の事を、遅延バジェット報告タイプ２などと呼んでも良い。
【００７６】
なおＵＥ１２２の処理部５０２はステップＳ７０２において、上述の遅延バジェット報告の送信を一定時間禁止させるためのタイマーの設定に関する情報要素を受信した場合、遅延バジェット報告の送信を一定時間禁止させるためのタイマーの値に関する情報を、上位レイヤに通知しても良い。
【００７７】
またＵＥ１２２の処理部５０２は、上位レイヤから、上位レイヤでの遅延バジェット情報シグナリング（Ｄｅｌａｙ  Ｂｕｄｇｅｔ  Ｉｎｆｏｒｍａｔｉｏｎ  （ＤＢＩ）  ｓｉｇｎａｌｉｎｇ）の送信及び受信の内のいずれかまたは全てが行われる事、又は行われるか否かを示す情報を、受け取っても良い。またステップＳ７０８において、ｇＮＢ１０８へ指示した遅延バジェットの調整値に従って、遅延バジェットが調整された事を検出した事に基づいて、上位レイヤに遅延バジェットが調整された事、及び調整された遅延バジェットの値に関する情報の内のいずれかまたは全てを通知する処理は、上述の遅延バジェット情報シグナリングの送信及び受信の内のいずれかまたは全てが行われる事を示す情報を、上位レイヤから受け取っていた場合にのみ行われても良い。上述の遅延バジェット情報シグナリングとは、ＲＴＣＰフィードバックを用いたシグナリングでも良い。また上述の遅延バジェット情報シグナリングの送信及びは受信の内のいずれかまたは全てが行われるか否かは、ＳＤＰオファー及びＳＤＰアンサーを用いて折衝されても良い。
【００７８】
またステップＳ７０８において、ｇＮＢ１０８へ指示した遅延バジェットの調整値に従って、遅延バジェットが調整された事を検出した事に基づいて、上位レイヤに遅延バジェットが調整された事、及び調整された遅延バジェットの値に関する情報の内のいずれかまたは全てを通知する処理は、ステップＳ７０４において、遅延バジェット報告情報要素の作成を起動する条件が、「（３）上位レイヤから遅延バジェット調整要求を受け取った場合。」である事に基づいて行われても良い。
【００７９】
なお、端末装置の上位レイヤにおいて、ステップＳ７０８の処理で端末装置の下位レイヤ通知された遅延バジェットが調整された事、及び調整された遅延バジェットの値の内のいずれかまたは全てを用いて、上述の遅延バジェット情報シグナリングを生成し、通信相手に送信しても良い。
【００８０】
また、端末装置の上位レイヤにおいて、通信相手から上述の遅延バジェット情報シグナリングを受け取った際、端末装置の下位レイヤに対し、上述の遅延バジェット調整要求を通知しても良い。この際、上述の遅延バジェット情報シグナリングに含まれる遅延バジェット情報を一緒に端末装置の下位レイヤに送っても良い。
【００８１】
本発明の実施の形態は、以下のようにまとめられる。
【００８２】
基地局装置と通信する端末装置であって、前記基地局装置からＲＲＣメッセージを受信する受信部と、前記ＲＲＣメッセージに、遅延バジェット報告送信の設定を行う事を指示する情報要素が含まれている事に基づいて、遅延バジェット報告送信の設定を行い、上位レイヤからの遅延バジェット調整要求を受け取る事に基づいて、前記上位レイヤからの遅延バジェット調整要求に従った遅延バジェットの調整値を、遅延バジェット報告情報要素に含める処理部と、前記遅延バジェット報告情報要素を含むＲＲＣメッセージを前記基地局装置に送信する送信部と、を有し、前記処理部は、前記送信部が前記遅延バジェット報告情報要素を含むＲＲＣメッセージを前記基地局装置に送信後、前記端末装置の遅延バジェットが、前記遅延バジェットの調整値に従って調整された事を検出した事に基づいて、上位レイヤに遅延バジェット調整が行われた事及び調整された値に関する情報の内のいずれかまたは全てを通知する。
【００８３】
また、基地局装置と通信する端末装置の方法であって、前記基地局装置からＲＲＣメッセージを受信し、前記ＲＲＣメッセージに、遅延バジェット報告送信の設定を行う事を指示する情報要素が含まれている事に基づいて、遅延バジェット報告送信の設定を行い、上位レイヤからの遅延バジェット調整要求を受け取る事に基づいて、前記上位レイヤからの遅延バジェット調整要求に従った遅延バジェットの調整値を、遅延バジェット報告情報要素に含める処理を行い、前記遅延バジェット報告情報要素を含むＲＲＣメッセージを前記基地局装置に送信し、前記遅延バジェット報告情報要素を含むＲＲＣメッセージを前記基地局装置に送信後、前記端末装置の遅延バジェットが、前記遅延バジェットの調整値に従って調整された事を検出した事に基づいて、上位レイヤに遅延バジェット調整が行われた事及び調整された値の内のいずれかまたは全てに関する情報を通知する。
【００８４】
なお、前記遅延バジェットとは、接続モードＤＲＸサイクル長であっても良い。また前記遅延バジェットとは、カバレッジエンハンスメント設定であっても良い。
【００８５】
このように、本発明の実施の形態では、端末装置が上位レイヤに遅延バジェット調整が行われた事を通知する事により、端末装置の上位レイヤで通信相手との間で、エンド・ツー・エンドの遅延調整を行う事ができる。即ち、端末装置は、通話品質の劣化を抑え、効率的に通信を行うことができる。
【００８６】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【００８７】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【００８８】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【００８９】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、
ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【００９０】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【００９１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【００９２】
１００  Ｅ−ＵＴＲＡ
１０２  ｅＮＢ
１０４  ＥＰＣ
１０６  ＮＲ
１０８  ｇＮＢ
１１０  ５ＧＣ
１１２，１１４，１１６，１１８，１２０，１２４  インタフェース
１２２  ＵＥ
２００，３００  ＰＨＹ
２０２，３０２  ＭＡＣ
２０４，３０４  ＲＬＣ
２０６，３０６  ＰＤＣＰ
２０８，３０８  ＲＲＣ
３１０  ＳＤＡＰ
５００，６０４  受信部
５０２，６０２  処理部
５０４，６００  送信部
【図１】
2020136734.tif 000003
【図２】
2020136734.tif 000004
【図３】
2020136734.tif 000005
【図４】
2020136734.tif 000006
【図５】
2020136734.tif 000007
【図６】
2020136734.tif 000008
【図７】
2020136734.tif 000009